(57)【特許請求の範囲】
【請求項１】
移動通信システムにおいて用いられるユーザ装置であって、
前記ユーザ装置が間欠受信状態と非間欠受信状態の両方の状態を同時に取り得るか否かを判定する判定手段と、
前記判定手段により、前記ユーザ装置が間欠受信状態と非間欠受信状態の両方の状態を同時に取り得ると判定された場合に、間欠受信状態時の測定条件と非間欠受信状態時の測定条件のうちのいずれの状態時の測定条件を用いてメジャメントを行うかを判定し、判定された測定条件を用いてメジャメントを行う測定制御手段と
を備えることを特徴とするユーザ装置。
【請求項２】
前記ユーザ装置が、それぞれが１つ又は複数のセルからなるセルグループを構成する複数の基地局と通信を行い、各セルグループ内ではセル間で同一の間欠受信状態又は非間欠受信状態を取る場合において、
前記測定制御手段は、前記ユーザ装置に設定されている全てのセルグループの状態に基づいて、間欠受信状態時の測定条件と非間欠受信状態時の測定条件のうちのいずれの状態時の測定条件を用いてメジャメントを行うかを判定する
ことを特徴とする請求項１に記載のユーザ装置。
【請求項３】
前記ユーザ装置が、それぞれが１つ又は複数のセルからなるセルグループを構成する複数の基地局と通信を行い、各セルグループ内ではセル間で同一の間欠受信状態又は非間欠受信状態を取る場合において、
前記測定制御手段は、前記ユーザ装置に設定されているセルグループのうちの特定のセルグループの状態に基づいて、間欠受信状態時の測定条件と非間欠受信状態時の測定条件のうちのいずれの状態時の測定条件を用いてメジャメントを行うかを判定する
ことを特徴とする請求項１に記載のユーザ装置。
【請求項４】
前記特定のセルグループは、予め定められているセルグループである、又は、前記複数の基地局のうちのいずれかの基地局から通知されたセルグループである
ことを特徴とする請求項３に記載のユーザ装置。
【請求項５】
前記測定制御手段は、前記複数の基地局のうちのいずれかの基地局から通知される測定設定情報におけるイベントの種別に基づいて、間欠受信状態時の測定条件と非間欠受信状態時の測定条件のうちのいずれの状態時の測定条件を用いてメジャメントを行うかを判定する
ことを特徴とする請求項３に記載のユーザ装置。
【請求項６】
前記ユーザ装置が、それぞれが１つ又は複数のセルからなるセルグループを構成する複数の基地局と通信を行い、各セルグループ内ではセル間で同一の間欠受信状態又は非間欠受信状態を取る場合において、
前記測定制御手段は、間欠受信状態時の測定条件を用いてメジャメントを行うと判定した場合に、前記複数のセルグループの間欠受信コンフィギュレーションに基づく測定条件を用いてメジャメントを行う
ことを特徴とする請求項１に記載のユーザ装置。
【請求項７】
前記ユーザ装置が、それぞれが１つ又は複数のセルからなるセルグループを構成する複数の基地局と通信を行い、各セルグループ内ではセル間で同一の間欠受信状態又は非間欠受信状態を取る場合において、
前記測定制御手段は、間欠受信状態時の測定条件を用いてメジャメントを行うと判定した場合に、前記複数のセルグループのうちの特定のセルグループの間欠受信コンフィギュレーションに基づく測定条件を用いてメジャメントを行う
ことを特徴とする請求項１に記載のユーザ装置。
【請求項８】
前記特定のセルグループは、予め定められているセルグループである、又は、前記複数の基地局のうちのいずれかの基地局から通知されたセルグループである
ことを特徴とする請求項７に記載のユーザ装置。
【請求項９】
前記測定制御手段は、前記複数の基地局のうちのいずれかの基地局から通知される測定設定情報におけるイベントの種別に基づいて、前記特定のセルグループを決定する
ことを特徴とする請求項７に記載のユーザ装置。
【請求項１０】
移動通信システムにおいて用いられるユーザ装置が実行する測定制御方法であって、
前記ユーザ装置が間欠受信状態と非間欠受信状態の両方の状態を同時に取り得るか否かを判定する判定ステップと、
前記判定ステップにより、前記ユーザ装置が間欠受信状態と非間欠受信状態の両方の状態を同時に取り得ると判定された場合に、間欠受信状態時の測定条件と非間欠受信状態時の測定条件のうちのいずれの状態時の測定条件を用いてメジャメントを行うかを判定し、判定された測定条件を用いてメジャメントを行う測定制御ステップと
を備えることを特徴とする測定制御方法。
【発明の詳細な説明】
【技術分野】
【０００１】
本発明は、移動通信システムにおけるユーザ装置が実行する測定制御技術に関連するものである。
【背景技術】
【０００２】
ＬＴＥシステムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。
【０００４】
ＳＣｅｌｌは、ＰＣｅｌｌに追加されてユーザ装置ＵＥに対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。
【０００５】
図１に示すように、ＬＴＥのＲｅｌ−１０までのＣＡでは、同一基地局ｅＮＢ配下の複数のＣＣを用いている。
【０００６】
一方、Ｒｅｌ−１２ではこれを拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献１）。つまり、Ｄｕａｌ  ｃｏｎｎｅｃｔｉｖｉｔｙでは、ＵＥは、２つの物理的に異なる基地局ｅＮＢの無線リソースを同時に使用して通信を行う。
【０００７】
Ｄｕａｌ  ｃｏｎｎｅｃｔｉｖｉｔｙは、ＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図２に、Ｄｕａｌ  ｃｏｎｎｅｃｔｉｖｉｔｙの例を示す。図２の例では、ＭｅＮＢがＣＣ＃１でユーザ装置ＵＥと通信を行い、ＳｅＮＢがＣＣ＃２でユーザ装置ＵＥと通信を行うことでＤｕａｌ  ｃｏｎｎｅｃｔｉｖｉｔｙ（以下、ＤＣ）を実現している。
【０００８】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。ＳＣＧにおいて最初に追加されるＳＣｅｌｌはＰＳＣｅｌｌである。なお、ＤＣでないＣＡにおいても、ＳＣｅｌｌにＰＵＣＣＨを設定することが検討されている。
【０００９】
ところで、ＬＴＥでは、ユーザ装置ＵＥの電力消費を抑えることを目的として、ＤＲＸ（Ｄｉｓｃｏｎｔｉｎｕｏｕｓ  ｒｅｃｅｐｔｉｏｎ、間欠受信）が規定されている（非特許文献２）。ＤＲＸでは、図３に示すように、常に信号（ＰＤＣＣＨ）の受信を試みるｎｏｎ−ＤＲＸ状態から、一定時間通信が無い場合、周期的に信号の間欠受信を行うＤＲＸ状態に移行する。ＤＲＸに関連する周期、受信期間等の設定情報（ｃｏｎｆｉｇｕｒａｔｉｏｎ、コンフィギュレーション）は、ＲＲＣ信号等により基地局ｅＮＢからユーザ装置ＵＥに通知される。
【００１０】
ＣＡでない単独キャリアでの通信や、Ｒｅｌ−１０までのＣＡでは、基地局ｅＮＢはユーザ装置ＵＥに対し単一のＤＲＸ設定を行うが、上述したＤｕａｌ  Ｃｏｎｎｅｃｔｉｖｉｔｙでは、ＭｅＮＢ、ＳｅＮＢはユーザ装置ＵＥに対し独立にＤＲＸ設定を行うことが可能である。すなわちＭｅＮＢ、ＳｅＮＢは互いに異なるＤＲＸ設定を行うことが可能であり、またユーザ装置ＵＥはそれぞれ独立にＤＲＸの状態を管理する。すなわち、ユーザ装置ＵＥにおいて、ＤＲＸ状態とｎｏｎ−ＤＲＸ状態を同時に取り得る。
【００１１】
一方、ＬＴＥでは、ユーザ装置ＵＥが、ハンドオーバ時のセル選択処理や、ＣＡ／ＤＣ時のＣＣ追加・削除・変更処理の観点で、サービングセルや周辺セルの品質（ＲＳＲＰ，ＲＳＲＱ等）を測定し基地局ｅＮＢに報告することが規定されている。これはＭｅａｓｕｒｅｍｅｎｔ（メジャメント）と呼ばれる。
【００１２】
メジャメントに関し、ＬＴＥでは、測定条件（ｒｅｑｕｉｒｅｍｅｎｔｓ）として、メジャメントが完了するまでの許容時間等が規定されているが（非特許文献３）、当該規定において、ユーザ装置ＵＥがＤＲＸ状態にあるか、ｎｏｎ−ＤＲＸ状態にあるかで異なる測定条件が規定されている。また、ＤＲＸ時に満たすべき測定条件は、ＤＲＸの周期（以降、ＤＲＸ  ｃｙｃｌｅ）に依存して規定されている。
【先行技術文献】
【非特許文献】
【００１３】
【非特許文献１】３ＧＰＰ  ＴＲ  ３６．８４２  Ｖ１２．０．０  （２０１３−１２）
【非特許文献２】３ＧＰＰ  ＴＳ  ３６．３２１  Ｖ１２．２．１  （２０１４−０６）
【非特許文献３】３ＧＰＰ  ＴＳ  ３６．１３３  Ｖ１２．４．０  （２０１４−０７）
【非特許文献４】３ＧＰＰ  ＴＳ  ３６．３３１  Ｖ１２．１．０  （２０１４−０３）
【発明の概要】
【発明が解決しようとする課題】
【００１４】
Ｒｅｌ−１１までのメジャメントに関する規定においては、ユーザ装置ＵＥには単一のＤＲＸコンフィギュレーションが設定され、ユーザ装置ＵＥは単一のＤＲＸ状態を管理することが前提となっている。すなわち、Ｄｕａｌ  Ｃｏｎｎｅｃｔｉｖｉｔｙのように、ユーザ装置ＵＥに複数のＤＲＸコンフィギュレーションが設定される場合や、ユーザ装置ＵＥが複数のＤＲＸ状態を管理する場合の規定は存在しない。このため、Ｄｕａｌ  Ｃｏｎｎｅｃｔｉｖｉｔｙ時におけるユーザ装置ＵＥのメジャメント動作は保証されておらず、Ｄｕａｌ  Ｃｏｎｎｅｃｔｉｖｉｔｙが適切に運用できない可能性がある。
【００１５】
例えば、図４（ａ）に示すように、ユーザ装置ＵＥがＭｅＮＢとの通信においてＤＲＸ状態にあり、ＳｅＮＢとの通信においてｎｏｎ−ＤＲＸ状態にある場合、ユーザ装置ＵＥにとって、ＤＲＸ時の条件に従ってメジャメントを行えばよいのか、それともｎｏｎ−ＤＲＸ時の条件に従ってメジャメントを行えばよいのかが不明である。また、図４（ｂ）に示すように、ＭｅＮＢとＳｅＮＢともにＤＲＸ状態である場合において、ＭｅＮＢとの通信のＤＲＸ  ｃｙｃｌｅが６４０ｍｓであり、ＳｅＮＢとの通信のＤＲＸ  ｃｙｃｌｅが１２８０ｍｓである場合、ユーザ装置ＵＥは、ＤＲＸ時に基づく条件に従ってメジャメントを行うことになるが、メジャメント条件の基になるＤＲＸ  ｃｙｃｌｅとして６４０ｍｓを採用すればよいのか、それとも１２８０ｍｓを採用すればよいのか不明である。
【００１６】
本発明は上記の点に鑑みてなされたものであり、ユーザ装置において、間欠受信状態と非間欠受信状態の両方の状態を同時に取り得る場合でも、適切にメジャメントを行うことを可能とする技術を提供することを目的とする。
【課題を解決するための手段】
【００１７】
本発明の実施の形態によれば、移動通信システムにおいて用いられるユーザ装置であって、
前記ユーザ装置が間欠受信状態と非間欠受信状態の両方の状態を同時に取り得るか否かを判定する判定手段と、
前記判定手段により、前記ユーザ装置が間欠受信状態と非間欠受信状態の両方の状態を同時に取り得ると判定された場合に、間欠受信状態時の測定条件と非間欠受信状態時の測定条件のうちのいずれの状態時の測定条件を用いてメジャメントを行うかを判定し、判定された測定条件を用いてメジャメントを行う測定制御手段とを備えるユーザ装置が提供される。
【００１８】
また、本発明の実施の形態によれば、  移動通信システムにおいて用いられるユーザ装置が実行する測定制御方法であって、
前記ユーザ装置が間欠受信状態と非間欠受信状態の両方の状態を同時に取り得るか否かを判定する判定ステップと、
前記判定ステップにより、前記ユーザ装置が間欠受信状態と非間欠受信状態の両方の状態を同時に取り得ると判定された場合に、間欠受信状態時の測定条件と非間欠受信状態時の測定条件のうちのいずれの状態時の測定条件を用いてメジャメントを行うかを判定し、判定された測定条件を用いてメジャメントを行う測定制御ステップとを備える測定制御方法が提供される。
【発明の効果】
【００１９】
本発明の実施の形態によれば、ユーザ装置において、間欠受信状態と非間欠受信状態の両方の状態を同時に取り得る場合でも、適切にメジャメントを行うことが可能となる。
【図面の簡単な説明】
【００２０】
【図１】Ｒｅｌ−１０までのＣＡを示す図である。
【図２】Ｄｕａｌ  ｃｏｎｎｅｃｔｉｖｉｔｙの例を示す図である。
【図３】ＤＲＸについて説明するための図である。
【図４】課題を説明するための図である。
【図５】本発明の実施の形態に係る通信システムの構成例を示す図である。
【図６】本発明の実施の形態における判定制御動作を示すフローチャートである。
【図７】本発明の実施の形態において、ＤＲＸ時の条件に従いメジャメントを行う場合における判定制御動作を示すフローチャートである。
【図８】判定制御動作１における判定例１−１を説明するための図である。
【図９】判定制御動作１における判定例１−２を説明するための図である。
【図１０】判定制御動作１における判定例１−２のイベント種別に基づく選択を説明するための図である。
【図１１】判定制御動作２における判定例２−１を説明するための図である。
【図１２】判定制御動作２における判定例２−２を説明するための図である。
【図１３】ユーザ装置ＵＥの構成図である。
【発明を実施するための形態】
【００２１】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、Ｄｕａｌ  Ｃｏｎｎｅｃｔｉｖｉｔｙを例に説明しているが、本発明は、Ｄｕａｌ  Ｃｏｎｎｅｃｔｉｖｉｔｙに限らず、ユーザ装置ＵＥにおいてＤＲＸ状態とｎｏｎ−ＤＲＸ状態の両方の状態を同時に取り得る場合に適用可能である。
【００２２】
また、本実施の形態では、ＬＴＥの移動通信システムを対象とするが、本発明はＬＴＥに限らず他の移動通信システムにも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。ただし、本発明がＬＴＥに適用される場合に、ＬＴＥのＲｅｌはＲｅｌ−１２、もしくは、Ｒｅｌ−１２以降に限定されるわけではない。
【００２３】
（システム構成）
図５は、本発明の実施の形態における通信システムの構成例を示す図である。図５に示すように、当該通信システムは、それぞれコアネットワーク１０に接続される基地局ＭｅＮＢと基地局ＳｅＮＢを備え、ユーザ装置ＵＥとの間でＤＣを可能としている。また、基地局ＭｅＮＢと基地局ＳｅＮＢとの間は、例えばＸ２インターフェースにより通信可能である。なお、以下では、基地局ＭｅＮＢと基地局ＳｅＮＢをそれぞれＭｅＮＢ、ＳｅＮＢと記述する。また、ＭｅＮＢ、ＳｅＮＢ、ＤＣでないｅＮＢ等を含む基地局を総称するときは基地局ｅＮＢと記述する場合がある。
【００２４】
図５に示す通信システムにおいて、例えば、ＭＣＧをマクロセルとし、ＳＣＧをスモールセルとして、ＰＣｅｌｌ、ＳＣｅｌｌ（ＰＳＣｅｌｌを含む）の設定を行うことができる。ユーザ装置ＵＥにおけるＳＣｅｌｌ（ＰＳＣｅｌｌを含む）の追加、削除、設定変更は、ＭｅＮＢからのＲＲＣシグナリングで行うこととするが、これに限られるわけではない。また、ＭｅＮＢとユーザ装置ＵＥとの通信に係るＤＲＸコンフィギュレーション、及び、ＳｅＮＢとユーザ装置ＵＥの通信に係るＤＲＸコンフィギュレーションが、例えばＲＲＣシグナリングにより、ＭｅＮＢからユーザ装置ＵＥに通知され、設定される。
【００２５】
また、ＭＣＧ内では各セルに対して同一のＤＲＸコンフィギュレーションが適用され、ＭＣＧ内のアクティベートされた各セルは同一のＤＲＸ／ｎｏｎ−ＤＲＸ状態をとる。同様に、ＳＣＧ内では各セルに対して同一のＤＲＸコンフィギュレーションが適用され、ＳＣＧ内のアクティベートされた各セルは同一のＤＲＸ／ｎｏｎ−ＤＲＸ状態をとる。ＭＣＧとＳＣＧとの間では、ＤＲＸコンフィギュレーション、及びＤＲＸ／ｎｏｎ−ＤＲＸ状態は独立である。すなわち、ユーザ装置ＵＥにおいて、ＤＲＸ状態とｎｏｎ−ＤＲＸ状態の両方の状態を同時に取り得る。
【００２６】
本実施の形態では、ユーザ装置ＵＥにおいて、ＭＣＧのＤＲＸコンフィギュレーションと、ＳＣＧのＤＲＸコンフィギュレーションが設定されるものとし、また、ユーザ装置ＵＥは、ＭＣＧにおけるＤＲＸ／ｎｏｎ−ＤＲＸ状態と、ＳＣＧにおけるＤＲＸ／ｎｏｎ−ＤＲＸ状態とを別々に管理する。また、ＣＧの数は２つに限られず、例えば、ＳＣＧが複数存在してもよい。
【００２７】
（判定制御動作フロー）
次に、図６、及び図７を参照して、ユーザ装置ＵＥにおける判定制御動作の例を説明する。
【００２８】
図６は、ユーザ装置ＵＥがＤＲＸ状態とｎｏｎ−ＤＲＸ状態の両方を同時に取り得る場合に、ユーザ装置ＵＥがどの状態時の条件に基づいてメジャメントを行うかを判定する動作を示すフローチャートである。
【００２９】
まず、ユーザ装置ＵＥは、複数のＤＲＸコンフィギュレーションが設定されているかどうか判定する（ステップ１０１）。複数のＤＲＸコンフィギュレーションが設定されているかどうかを判定するのは、ＤＲＸ状態とｎｏｎ−ＤＲＸ状態の両方の状態を同時に取り得るかどうかの判定の例である。複数のＤＲＸコンフィギュレーションが設定されていれば、ＤＲＸ状態とｎｏｎ−ＤＲＸ状態の両方の状態を同時に取り得ると判断できる。
【００３０】
複数のＤＲＸコンフィギュレーションが設定されている場合（ステップ１０１のＹｅｓ）、ステップ１０２に進み、ユーザ装置ＵＥは、ＤＲＸ時の測定条件とｎｏｎ−ＤＲＸ時の測定条件のうちのどちらの測定条件に従ってメジャメントを行うかを判定する。ステップ１０２での判定方法の例については判定制御動作１として後述する。
【００３１】
ステップ１０２において、ＤＲＸ時の測定条件に従う場合はステップ１０３に進んでＤＲＸ時の測定条件に従いメジャメントを行う。ステップ１０２において、ｎｏｎ−ＤＲＸ時の測定条件に従う場合はステップ１０５に進んでｎｏｎ−ＤＲＸ時の測定条件に従いメジャメントを行う。
【００３２】
ステップ１０１において、複数のＤＲＸコンフィギュレーションが設定されていない場合（ステップ１０１のＮｏ）、ステップ１０４に進む。そして、ユーザ装置ＵＥがＤＲＸ状態であれば（ステップ１０４のＹｅｓ）、ＤＲＸ時の測定条件に従いメジャメントを行う（ステップ１０３）。一方、ユーザ装置ＵＥがｎｏｎ−ＤＲＸ状態であれば（ステップ１０４のＮｏ）、ｎｏｎ−ＤＲＸ時の測定条件に従いメジャメントを行う（ステップ１０５）。
【００３３】
図７は、ユーザ装置ＵＥがＤＲＸ時の測定条件に基づいてメジャメントを行う際の判定制御動作を示すフローチャートである。
【００３４】
ユーザ装置ＵＥがＤＲＸ時の測定条件に基づいてメジャメントを行う場合において、ユーザ装置ＵＥに複数のＤＲＸコンフィギュレーションが設定されている場合（ステップ２０１のＹｅｓ）には、どのＤＲＸコンフィギュレーション（具体的にはＤＲＸ  ｃｙｃｌｅ）を利用するかを判定し（ステップ２０２）、当該ＤＲＸコンフィギュレーションを利用してメジャメントを行う（ステップ２０３）。ステップ２０２における判定方法の例については判定制御動作２として後述する。
【００３５】
一方、ユーザ装置ＵＥに設定されているＤＲＸコンフィギュレーションが１つである場合（ステップ２０１のＮｏ）には、当該ＤＲＸコンフィギュレーションに従いメジャメントを行う（ステップ２０３）。
【００３６】
（判定制御動作１における具体的な判定例）
次に、図６のステップ１０２の判定、すなわち、複数のＤＲＸコンフィギュレーションが設定されている場合（つまり、ＤＲＸ状態とｎｏｎ−ＤＲＸ状態の両方を同時に取り得る場合）において、ＤＲＸ時の測定条件とｎｏｎ−ＤＲＸ時の測定条件のどちらの測定条件に従ってメジャメントを行うかを判定する判定制御動作１における具体的な判定例を説明する。
【００３７】
＜判定例１−１＞
判定例１−１では、ユーザ装置ＵＥは、全てのＣＧ（セルグループ）における、判定時点のＤＲＸ／ｎｏｎ−ＤＲＸ状態に基づき判定された測定条件を用いてメジャメントを行う。つまり、図８に示すように、ＭＣＧはＤＲＸ状態か、ｎｏｎ−ＤＲＸ状態を取り得、ＳＣＧもＤＲＸ状態か、ｎｏｎ−ＤＲＸ状態を取り得るが、判定例１−１では、ユーザ装置ＵＥは、これら全てのＣＧの状態を考慮して、ＤＲＸ時の測定条件に基づくメジャメントを行うか、ｎｏｎ−ＤＲＸ時の測定条件に基づくメジャメントを行うかを判定するのである。
【００３８】
具体的には、例えば、ユーザ装置ＵＥは、全てのＣＧの状態がＤＲＸ状態の場合に、ＤＲＸ時の測定条件に基づくメジャメントを行い、少なくとも１つのＣＧがｎｏｎ−ＤＲＸ状態であれば、ｎｏｎ−ＤＲＸ時の測定条件に基づくメジャメントを行う。
【００３９】
また、少なくともＸ（Ｘは１以上の整数）個のＣＧがＤＲＸ状態であれば、ＤＲＸ時の測定条件に基づくメジャメントを行い、ＤＲＸ状態のＣＧがＸ個未満であり、残りのＣＧの状態がｎｏｎ−ＤＲＸ状態であればｎｏｎ−ＤＲＸ時の条件に基づくメジャメントを行うこととしてもよい。ここで、例えばＸは、固定的に１としてもよいし、設定しているＣＧ数によってユーザ装置ＵＥが自律で決定してもよいし、ＮＷ（例：ＭｅＮＢ）から指示されてもよい。
【００４０】
＜判定例１−２＞
次に、判定例１−２を説明する。判定例１−２では、ユーザ装置ＵＥは、特定のＣＧにおけるＤＲＸ／ｎｏｎ−ＤＲＸ状態に基づいてメジャメントを行う。
【００４１】
＜判定例１−２（ａ）＞
例えば、図９（ａ）に示すように、判定時におけるＭＣＧの状態に基づきメジャメントを行う、もしくは、ＳＣＧの状態に基づきメジャメントを行う、のように、固定的に定めておき、その定めに従ってメジャメントを行う。この方法は、判定制御が簡易になるという利点がある。
【００４２】
＜判定例１−２（ｂ）＞
また、ユーザ装置ＵＥは、ＮＷから指示されたＣＧの、判定時におけるＤＲＸ／ｎｏｎ−ＤＲＸ状態に基づいてメジャメントを行うこととしてもよい。図９（ｂ）は、ＭｅＮＢから指示を行う場合のシーケンス例である。ステップ３０１において、ＭｅＮＢからユーザ装置ＵＥに対して、どちらのＣＧの状態に従うかの指示が送信され、ステップ３０２において、ユーザ装置ＵＥは、当該指示に従って、メジャメントを実施する。図７（ｂ）は一例としてＭｅＮＢから指示を行っているが、ＳｅＮＢから指示することとしてもよい。
【００４３】
上記の指示の通知は、ＲＲＣ信号でｓｅｍｉ−ｓｔａｔｉｃに行ってもよいし、ＭＡＣ／ＰＨＹ信号により動的に行ってもよい。なお、ユーザ装置ＵＥは、ＮＷからの指示が無い場合に、図９（ａ）に示したように、ｄｅｆａｕｌｔのＣＧ（例：ＭＣＧ）を選択することとしてもよい。
【００４４】
＜判定例１−２（ｃ）＞
また、図９（ｃ）に示すように、ユーザ装置ＵＥは、所定の条件に合致するＣＧのＤＲＸ／ｎｏｎ−ＤＲＸ状態に基づいてメジャメントを行うこととしてもよい。ここでのいくつかの具体例を以下に説明する。なお、後述するような、報告する目的に基づいて決定する例も所定の条件に合致するＣＧを選択することの一例である。
【００４５】
ユーザ装置ＵＥは、特定のＤＲＸコンフィギュレーションが設定されているＣＧのＤＲＸ／ｎｏｎ−ＤＲＸ状態に基づいてメジャメントを行うこととしてよい。例えば、ユーザ装置ＵＥは、複数ＣＧのうち、ＤＲＸ−ｃｙｃｌｅが最長（最短）のＣＧのＤＲＸ／ｎｏｎ−ＤＲＸ状態に基づく測定条件を用いてメジャメントを行う。
【００４６】
また、ユーザ装置ＵＥは、特定のベアラが設定されているＣＧのＤＲＸ／ｎｏｎ−ＤＲＸ状態に基づいてメジャメントを行うこととしてもよい。例えば、ユーザ装置ＵＥは、複数ＣＧのうち、最もＱｏＳの高いベアラが設定されているＣＧのＤＲＸ／ｎｏｎ−ＤＲＸ状態に基づく測定条件を用いてメジャメントを行う。
【００４７】
また、ユーザ装置ＵＥは、複数ＣＧのうち、最もトラヒック量の多いＣＧのＤＲＸ／ｎｏｎ−ＤＲＸ状態に基づく測定条件を用いてメジャメントを行うこととしてもよい。トラヒック量を用いる本例において、トラヒック量の算出方法はどのような方法を用いてもよいが、例えば、ユーザ装置ＵＥは、各ＣＧにおけるデータ量（例：バッファされるデータ量）、ｎｏｎ−ＤＲＸ状態期間、ＳＣｅｌｌのＡｃｔｉｖａｔｅ  ｔｉｍｅ、ＴＡ  ｔｉｍｅｒ起動期間、リソース割当て回数等を計測することで、トラヒック量を算出することができる。もしくは、最後のスケジューリングタイミングからの期間が所定期間よりも短いＣＧが、トラヒック量が多いＣＧであると判定されてもよい。
【００４８】
また、ユーザ装置ＵＥは、全ＣＧの中で最も品質（ＲＳＲＱ、ＲＳＲＰ等）のよいセルを有するＣＧのＤＲＸ／ｎｏｎ−ＤＲＸ状態に基づく測定条件を用いてメジャメントを行うこととしてもよい。
【００４９】
また、ユーザ装置ＵＥは、特定のセルが含まれるＣＧのＤＲＸ／ｎｏｎ−ＤＲＸ状態に基づく測定条件を用いてメジャメントを行うこととしてもよい。特定のセルとは、例えば、ＰＣｅｌｌでもよいし、特定のＳＣｅｌｌでもよいし、特定のｄｕｐｌｅｘ  ｍｏｄｅ（ｆｒａｍｅ  ｓｔｒｕｃｔｕｒｅ）のセルでもよい。特定のＳＣｅｌｌとは、例えばＰＳＣｅｌｌ、ＰＵＣＣＨが設定されたＳＣｅｌｌ等である。特定のｄｕｐｌｅｘ  ｍｏｄｅとは、ＴＤＤもしくはＦＤＤである。
【００５０】
また、ユーザ装置ＵＥは、最初に設定されたＣＧ、もしくは、最後に設定されたＣＧのＤＲＸ／ｎｏｎ−ＤＲＸ状態に基づく測定条件を用いてメジャメントを行うこととしてもよい。
【００５１】
また、ユーザ装置ＵＥは、ＣＧ識別子（ＣＧ  ｉｎｄｅｘ）の最も小さい／最も大きいＣＧのＤＲＸ／ｎｏｎ−ＤＲＸ状態に基づく測定条件を用いてメジャメントを行うこととしてもよい。なお、ＣＧが３つ以上になった場合に、ＣＧ毎に識別子（ＣＧ  ｉｎｄｅｘ）が付与されることが想定されるが、ＣＧが２つの場合でもＣＧ毎に識別子（ＣＧ  ｉｎｄｅｘ）が付与されてもよい。
【００５２】
また、ユーザ装置ＵＥは、報告する目的に基づいて決定される特定のＣＧのＤＲＸ／Ｎｏｎ−ＤＲＸ状態に基づく測定条件を用いてメジャメントを行うこととしていてもよい。報告する目的に基づいて決定する例として、イベント（Ｅｖｅｎｔ）種別に基づいてＣＧを選択する例がある。以下では、この例について説明する。
【００５３】
＜＜判定例１−２（ｃ）、Ｅｖｅｎｔを用いる例＞＞
ＣＡ（ＤＣ含む）では、ＣＣ（セル）毎にサービングセル及び周辺（ｎｅｉｇｈｂｏｒ）セルの受信品質（ＲＳＲＰ、ＲＳＲＱ等）をユーザ装置ＵＥが測定し、特定の条件（イベント）を満たした場合に基地局ｅＮＢに報告することが可能になっている。
【００５４】
すなわち、本実施の形態に係るユーザ装置ＵＥは、セルの下りリンクの受信品質を測定し、特定のイベントに基づいて、測定結果を基地局ｅＮＢに報告することで、セルの追加、削除、変更等を行うことができる。ユーザ装置ＵＥが、どの周波数（ＣＣ）で何（ＲＳＲＰ，ＲＳＲＱ等）を測定し、どのような条件（イベント）をトリガとして、どのような情報を含む結果報告を行うか等についてのユーザ装置ＵＥに対する設定（測定設定）は、基地局ｅＮＢ（例：ＤＣではＭｅＮＢ）がユーザ装置ＵＥに対して、測定設定情報を含むＲＲＣ信号（例：ＲＲＣＣｏｎｎｅｃｔｉｏｎＲｅｃｏｎｆｉｇｕｒａｔｉｏｎ  ｍｅｓｓａｇｅ）を送信することにより行われる。
【００５５】
ここで、イベントを用いた本例を説明するにあたり、測定設定における基本的な事項を説明する（例えば非特許文献４参照）。ＲＲＣ信号により基地局ｅＮＢからユーザ装置ＵＥに送信される測定設定情報には、測定オブジェクト（Ｍｅａｓｕｒｅｍｅｎｔ  ｏｂｊｅｃｔ）、報告設定情報（Ｒｅｐｏｒｔｉｎｇ  ｃｏｎｆｉｇｕｒａｔｉｏｎ）、及び測定ＩＤ（Ｍｅａｓｕｒｅｍｅｎｔ  ｉｄｅｎｔｉｔｙ）が含まれる。
【００５６】
測定オブジェクトは、測定対象とする周波数（ＥＡＲＦＣＮ）、測定帯域幅等の測定すべき対象を含む。報告設定情報は、報告のトリガ（イベントベース、周期的等）、測定／報告量（ＲＳＲＰ、ＲＳＲＱ等）等を含む。測定ＩＤは、測定オブジェクトと報告設定情報とを対応付けるＩＤである。測定報告のトリガとなるイベントとしては、例えば、イベントＡ１、イベントＡ２、イベントＡ３、イベントＡ４、イベントＡ５、イベントＡ６等がある。
【００５７】
上記のうち、例えば、イベントＡ１（Ｓｅｒｖｉｎｇ  ｂｅｃｏｍｅｓ  ｂｅｔｔｅｒ  ｔｈａｎ  ｔｈｒｅｓｈｏｌｄ）は、測定設定情報で指定されるサービングセルの受信品質（ここでは、ＲＳＲＰ、ＲＳＲＱの総称）が、所定の閾値よりも良くなった場合に報告を行うイベントである。
【００５８】
図１０はイベントＡ１の使用例を説明するための図であり、ここでは、周波数ｆ１のＣＣでＭＣＧのＰＣｅｌｌが構成され、周波数ｆ２のＣＣでＳＣＧのＰＳＣｅｌｌが構成され、周波数ｆ３のＣＣでＳＣＧのＳＣｅｌｌが構成され、Ｄｕａｌ  Ｃｏｎｎｅｃｔｉｖｉｔｙが行われているとする。イベントＡ１の測定設定情報（例えば、周波数ｆ３が測定オブジェクトで指定されている）を受信したユーザ装置ＵＥは、周波数ｆ３のＳＣｅｌｌ（ＳＣＧ）の受信品質が閾値よりも良くなったので、当該セルをＭｅＮＢに報告し、ＭｅＮＢが、例えば、ＰＳＣｅｌｌを周波数ｆ３のＣＣで構成するように変更することを決定する。
【００５９】
上記イベントＡ１の場合、指定されたサービングセルの品質測定であるため、ユーザ装置ＵＥは、当該サービングセルが含まれるＣＧの状態に基づく測定条件を用いてメジャメントを行う。つまり、図１０に示すイベントＡ１の例では、ＳＣＧの状態に基づいてメジャメントを行う。なお、ここでのメジャメントは、当該イベントＡ１に係るメジャメントである。
【００６０】
また、例えば、イベントＡ３（Ｎｅｉｇｈｂｏｕｒ  ｂｅｃｏｍｅｓ  ｏｆｆｓｅｔ  ｂｅｔｔｅｒ  ｔｈａｎ  ＰＣｅｌｌ）は、周辺セルの受信品質がＰＣｅｌｌの受信品質に対してオフセット分よりも良くなった場合に報告を行うイベントである。
【００６１】
イベントＡ３は、周辺セルの受信品質とＰＣｅｌｌの受信品質とを比較するための測定であるため、本実施の形態において、ユーザ装置ＵＥは、ＰＣｅｌｌが含まれるＣＧの状態に基づく測定条件を用いてメジャメントを行うこととする。なお、ここでのメジャメントは、当該イベントＡ３に係るメジャメントである。仮に、ＰＣｅｌｌが属するＣＧのＤＲＸ／ｎｏｎ−ＤＲＸ状態と周辺セルが属するＣＧのＤＲＸ／ｎｏｎ−ＤＲＸ状態が異なっており、かつ、周辺セルの周波数がＰＳＣｅｌｌの周波数と同じだったとしても、周辺セルの測定は、ＰＣｅｌｌが属するＣＧのＤＲＸ／ｎｏｎ−ＤＲＸ状態に基づくものとする。イベントＡ３はＰＣｅｌｌとの比較が目的であるため、イベント報告品質の観点でＲｅｌ−８からデグレードさせないことを意図した制御例である。
【００６２】
（判定制御動作２における具体的な判定例）
次に、図７のステップ２０２の判定、すなわち、ＤＲＸ時の測定条件に従ってメジャメントを行う場合において、複数のＤＲＸコンフィギュレーションが設定されている場合に、どのＣＧのＤＲＸコンフィギュレーションを用いた測定条件に従ってメジャメントを行うかを判定する判定制御動作２における具体的な判定例を説明する。
【００６３】
＜判定例２−１＞
判定例２−１では、ユーザ装置ＵＥは、全てのＣＧにおけるＤＲＸコンフィギュレーションに基づき測定条件を決定し、当該測定条件を用いたメジャメントを行う。例えば、ユーザ装置ＵＥは、全てのＣＧにおけるＤＲＸ‐ｃｙｃｌｅのＯＲをとったＤＲＸ−ｃｙｃｌｅを用いた測定条件に基づいてメジャメントを行う。
【００６４】
図１１を参照して、上記「ＯＲ」の定義を説明する。なお、これは一例である。図１１において、ＭＣＧでのＤＲＸ−ｃｙｃｌｅが６４０ｍｓであり、ＳＣＧでのＤＲＸ−ｃｙｃｌｅも６４０ｍｓであるが、ＤＲＸ−ｃｙｃｌｅの開始点が図示のようにずれている。なお、このずれは、ＤＲＸコンフィギュレーションにおけるオフセット等から求めることが可能である。
【００６５】
図１１のように、ＭＣＧのＤＲＸ−ｃｙｃｌｅの開始点から、ＳＣＧのＤＲＸ−ｃｙｃｌｅの開始点までの（１）で示す期間、又は、ＳＣＧのＤＲＸ−ｃｙｃｌｅの開始点から、ＭＣＧのＤＲＸ−ｃｙｃｌｅの開始点までの（２）で示す期間を、ＤＲＸ時の測定条件を用いるメジャメントの当該測定条件におけるＤＲＸ−ｃｙｃｌｅとして使用する。（１）を使用するか、（２）を使用するかは、例えば、長いほう／短いほうとして決めることができる。また、（１）と（２）の平均をとってもよい。
【００６６】
なお、図１１は、ＭＣＧ、ＳＣＧともに、実際のＤＲＸ状態にある図を示しているが、本例での判定は、ＭＣＧ、ＳＣＧの実際のＤＲＸ状態に依存するわけではない。例えば、判定制御動作１によれば、ＭＣＧとＳＣＧの片方のみがＤＲＸ状態にある場合でも、ＤＲＸ時の測定条件を用いるメジャメントを行う場合があるが、そのような場合でも、両者のＤＲＸコンフィギュレーションに基づいて、図１１に示す（１）や（２）を算出することができる。
【００６７】
＜判定例２−２＞
次に、判定例２−２を説明する。判定例２−２では、ユーザ装置ＵＥは、特定のＣＧにおけるＤＲＸコンフィギュレーションに基づく測定条件を用いたメジャメントを行う。
【００６８】
＜判定例２−２（ａ）＞
例えば、図１２（ａ）に示すように、ＭＣＧのＤＲＸコンフィギュレーションを用いた測定条件に基づいてメジャメントを行う、もしくは、ＳＣＧのＤＲＸコンフィギュレーションを用いた測定条件に基づいてメジャメントを行う、のように、固定的に定めておき、その定めに従ってメジャメントを行う。この方法は、判定制御が簡易になるという利点がある。
【００６９】
＜判定例２−２（ｂ）＞
また、ユーザ装置ＵＥは、ＮＷから指示されたＣＧのＤＲＸコンフィギュレーションを用いた測定条件に基づいてメジャメントを行うこととしてもよい。図１２（ｂ）は、ＭｅＮＢから指示を行う場合のシーケンス例である。ステップ４０１において、ＭｅＮＢからユーザ装置ＵＥに対して、ＤＲＸ時の測定条件に基づくメジャメントを行う際に、どのＣＧのＤＲＸコンフィギュレーションに従うかの指示が送信され、ステップ４０２において、ユーザ装置ＵＥは、当該指示に従って、メジャメントを実施する。図１２（ｂ）は一例としてＭｅＮＢから指示を行っているが、ＳｅＮＢから指示することとしてもよい。
【００７０】
上記の指示の通知は、ＲＲＣ信号でｓｅｍｉ−ｓｔａｔｉｃに行ってもよいし、ＭＡＣ／ＰＨＹ信号により動的に行ってもよい。なお、ユーザ装置ＵＥは、ＮＷからの指示が無い場合に、図１２（ａ）に示したように、ｄｅｆａｕｌｔのＣＧ（例：ＭＣＧ）を選択することとしてもよい。
【００７１】
＜判定例２−２（ｃ）＞
また、図１２（ｃ）に示すように、ユーザ装置ＵＥは、所定の条件に合致するＣＧのＤＲＸコンフィギュレーションを用いた測定条件に基づいてメジャメントを行うこととしてもよい。ここでのいくつかの具体例を以下に説明する。なお、後述するような、報告する目的に基づいて決定する例も所定の条件に合致するＣＧを選択することの一例である。
【００７２】
ユーザ装置ＵＥは、特定のＤＲＸコンフィギュレーションが設定されているＣＧのＤＲＸコンフィギュレーションを用いた測定条件に基づいてメジャメントを行うこととしてよい。例えば、ユーザ装置ＵＥは、複数ＣＧのうち、ＤＲＸ−ｃｙｃｌｅが最長（最短）のＣＧにおける当該ＤＲＸ−ｃｙｃｌｅを用いた測定条件に基づいてメジャメントを行う。
【００７３】
また、ユーザ装置ＵＥは、特定のベアラが設定されているＣＧのＤＲＸコンフィギュレーションを用いた測定条件に基づいてメジャメントを行うこととしてもよい。例えば、ユーザ装置ＵＥは、複数ＣＧのうち、最もＱｏＳの高いベアラが設定されているＣＧのＤＲＸコンフィギュレーションを用いた測定条件に基づいてメジャメントを行う。
【００７４】
また、ユーザ装置ＵＥは、複数ＣＧのうち、最もトラヒック量の多いＣＧのＤＲＸコンフィギュレーションを用いた測定条件に基づいてメジャメントを行うこととしてもよい。トラヒック量の算出方法は、判定例１−２（ｃ）で説明した方法と同様の方法を用いることができる。
【００７５】
また、ユーザ装置ＵＥは、全ＣＧの中で最も品質（ＲＳＲＱ、ＲＳＲＰ等）のよいセルを有するＣＧのＤＲＸコンフィギュレーションを用いた測定条件に基づいてメジャメントを行うこととしてもよい。
【００７６】
また、ユーザ装置ＵＥは、特定のセルが含まれるＣＧのＤＲＸコンフィギュレーションを用いた測定条件に基づいてメジャメントを行うこととしてもよい。特定のセルとは、例えば、ＰＣｅｌｌでもよいし、特定のＳＣｅｌｌでもよいし、特定のｄｕｐｌｅｘ  ｍｏｄｅ（ｆｒａｍｅ  ｓｔｒｕｃｔｕｒｅ）のセルでもよい。特定のＳＣｅｌｌとは、例えばＰＳＣｅｌｌ、ＰＵＣＣＨが設定されたＳＣｅｌｌ等である。特定のｄｕｐｌｅｘ  ｍｏｄｅとは、ＴＤＤもしくはＦＤＤである。
【００７７】
また、ユーザ装置ＵＥは、最初に設定されたＣＧ、もしくは、最後に設定されたＣＧのＤＲＸコンフィギュレーションを用いた測定条件に基づいてメジャメントを行うこととしてもよい。
【００７８】
また、ユーザ装置ＵＥは、ｎｏｎ−ＤＲＸ状態のＣＧのＤＲＸコンフィギュレーションを用いた測定条件に基づいてメジャメントを行うこととしてもよい。ｎｏｎ−ＤＲＸ状態のＣＧが複数ある場合に、ｎｏｎ−ＤＲＸ状態が所定期間以上継続したＣＧが対象とされてもよい。また、判定時において、ｎｏｎ−ＤＲＸ状態が最も長く継続したＣＧが対象とされてもよい。
【００７９】
また、ユーザ装置ＵＥは、ＣＧ識別子（ＣＧ  ｉｎｄｅｘ）の最も小さい／最も大きいＣＧのＤＲＸコンフィギュレーションを用いた測定条件に基づいてメジャメントを行うこととしてもよい。なお、ＣＧが３つ以上になった場合に、ＣＧ毎に識別子（ＣＧ  ｉｎｄｅｘ）が付与されることが想定されるが、ＣＧが２つの場合でもＣＧ毎に識別子（ＣＧ  ｉｎｄｅｘ）が付与されてもよい。
【００８０】
また、ユーザ装置ＵＥは、報告する目的に基づいて決定される特定のＣＧのＤＲＸコンフィギュレーションを用いた条件に基づいてメジャメントを行うこととしてもよい。報告する目的に基づいて決定する例として、前述したように、イベント（Ｅｖｅｎｔ）種別に基づいてＣＧを選択する例がある。
【００８１】
前述したように、例えば、イベントＡ１の場合、指定されたサービングセルの品質測定であるため、ユーザ装置ＵＥは、当該サービングセルが含まれるＣＧのＤＲＸコンフィギュレーションを用いた測定条件に基づいてメジャメントを行うこととしてもよい。なお、ここでのメジャメントは、当該イベントＡ１に係るメジャメントである。
【００８２】
また、例えば、イベントＡ３は、周辺セルの受信品質とＰＣｅｌｌの受信品質とを比較するための測定であるため、ユーザ装置ＵＥは、ＰＣｅｌｌが含まれるＣＧのＤＲＸコンフィギュレーションを用いた測定条件に基づいてメジャメントを行う。なお、ここでのメジャメントは、当該イベントＡ３に係るメジャメントである。仮に、ＰＣｅｌｌが属するＣＧのＤＲＸコンフィギュレーションと周辺セルが属するＣＧのＤＲＸコンフィギュレーションが異なっており、かつ、周辺セルの周波数がＰＳＣｅｌｌの周波数と同じだったとしても、周辺セルの測定は、ＰＣｅｌｌが属するＣＧのＤＲＸコンフィギュレーションに基づくものとする。イベントＡ３はＰＣｅｌｌとの比較が目的であるため、イベント報告品質の観点でＲｅｌ−８からデグレードさせないことを意図した制御例である。
【００８３】
（装置構成例）
以下、これまでに説明した判定制御動作１、２を含む本実施の形態の動作を実施可能なユーザ装置ＵＥの構成例について説明する。
【００８４】
図１３に、本実施の形態におけるユーザ装置ＵＥの機能構成図を示す。図１３に示すように、ユーザ装置ＵＥは、ＵＬ信号送信部１０１、ＤＬ信号受信部１０２、ＣＣ／ＣＧ管理部１０３、ＤＲＸ制御部１０４、測定制御部１０５を備える。なお、図１３は、ユーザ装置ＵＥにおいて本発明に特に関連する機能部のみを示すものであり、少なくともＬＴＥに準拠した動作を行うための図示しない機能も有するものである。また、図１３に示す機能構成は一例に過ぎない。本実施の形態に係る動作を実行できるのであれば、機能区分や機能部の名称はどのようなものでもよい。
【００８５】
ＵＬ信号送信部１０１は、ユーザ装置ＵＥから送信されるべき上位のレイヤの情報から、物理レイヤの各種信号を生成し、基地局ｅＮＢに対して送信する機能を含み、ＤＬ信号受信部１０２は、基地局ｅＮＢから各種の下り信号を受信し、受信した物理レイヤの信号からより上位のレイヤの情報を取得する機能を含む。
【００８６】
ＣＣ／ＣＧ管理部１０３は、ＣＡを構成しているＰＣｅｌｌ、ＳＣｅｌｌの管理や、基地局ｅＮＢからの指示に基づくＳＣｅｌｌの追加／削除、Ａｃｔｉｖａｔｉｏｎ／Ｄｅａｃｔｉｖａｔｉｏｎ等のユーザ装置ＵＥにおけるＣＡに関する制御を行う。また、ＣＣ／ＣＧ管理部１０３は、ＤＣ（ＭＣＧ、ＳＣＧ）、ＣＡ  ｗｉｔｈ  ＳＣｅｌｌ  ＰＵＣＣＨの制御を行う機能も含んでいる。
【００８７】
ＤＲＸ制御部１０４は、基地局ｅＮＢからＣＧ毎のＤＲＸコンフィギュレーションを受信し、それをメモリ等に記憶しておくとともに、ＤＲＸコンフィギュレーションに従って、ＣＧ毎にＤＲＸの動作を行う。測定制御部１０５は、これまでに説明した判定制御動作１、２を含む判定動作を実行するとともに、当該動作により判定された内容の測定条件（例：非特許文献３の記載の測定条件）に基づいて、メジャメントを実行する。
【００８８】
以上、説明したように、本実施の形態により、移動通信システムにおいて用いられるユーザ装置であって、前記ユーザ装置が間欠受信状態と非間欠受信状態の両方の状態を同時に取り得るか否かを判定する判定手段と、前記判定手段により、前記ユーザ装置が間欠受信状態と非間欠受信状態の両方の状態を同時に取り得ると判定された場合に、間欠受信状態時の測定条件と非間欠受信状態時の測定条件のうちのいずれの状態時の測定条件を用いてメジャメントを行うかを判定し、判定された測定条件を用いてメジャメントを行う測定制御手段とを備えることを特徴とするユーザ装置が提供される。この構成によれば、ユーザ装置において、間欠受信状態と非間欠受信状態の両方の状態を同時に取り得る場合でも、適切にメジャメントを行うことが可能となる。
【００８９】
前記ユーザ装置が、それぞれが１つ又は複数のセルからなるセルグループを構成する複数の基地局と通信を行い、各セルグループ内ではセル間で同一の間欠受信状態又は非間欠受信状態を取る場合において、前記測定制御手段は、前記ユーザ装置に設定されている全てのセルグループの状態に基づいて、間欠受信状態時の測定条件と非間欠受信状態時の測定条件のうちのいずれの状態時の測定条件を用いてメジャメントを行うかを判定することとしてもよい。この構成では、全てのセルグループを考慮するため、セルグループ全体の状態に配慮した測定条件を用いてメジャメントを行うことができる。
【００９０】
また、前記ユーザ装置が、それぞれが１つ又は複数のセルからなるセルグループを構成する複数の基地局と通信を行い、各セルグループ内ではセル間で同一の間欠受信状態又は非間欠受信状態を取る場合において、前記測定制御手段は、前記ユーザ装置に設定されているセルグループのうちの特定のセルグループの状態に基づいて、間欠受信状態時の測定条件と非間欠受信状態時の測定条件のうちのいずれの状態時の測定条件を用いてメジャメントを行うかを判定することとしてもよい。この構成では、特定のセルグループの状態を用いるため、例えば、ある目的（例：モビリティ）に適した測定条件を用いてメジャメントを行うことが可能となる。
【００９１】
前記特定のセルグループは、例えば、予め定められているセルグループであってもよいし、前記複数の基地局のうちのいずれかの基地局から通知されたセルグループであってもよい。予め定められているセルグループを用いることで制御が簡易となり、実装が容易となる。基地局から通知されたセルグループを用いることとすることで、基地局による制御を加味することができる。
【００９２】
前記測定制御手段は、前記複数の基地局のうちのいずれかの基地局から通知される測定設定情報におけるイベントの種別に基づいて、間欠受信状態時の測定条件と非間欠受信状態時の測定条件のうちのいずれの状態時の測定条件を用いてメジャメントを行うかを判定することとしてもよい。この構成により、イベントの目的に適した測定条件を用いてメジャメントを行うことが可能となる。
【００９３】
前記ユーザ装置が、それぞれが１つ又は複数のセルからなるセルグループを構成する複数の基地局と通信を行い、各セルグループ内ではセル間で同一の間欠受信状態又は非間欠受信状態を取る場合において、前記測定制御手段は、間欠受信状態時の測定条件を用いてメジャメントを行うと判定した場合に、前記複数のセルグループの間欠受信コンフィギュレーションに基づく測定条件を用いてメジャメントを行うように構成してもよい。この構成により、間欠受信状態時の測定条件を用いてメジャメントを行う場合において、複数の間欠受信コンフィギュレーションが通知されている場合でも、適切に測定条件を決定してメジャメントを行うことができる。
【００９４】
前記ユーザ装置が、それぞれが１つ又は複数のセルからなるセルグループを構成する複数の基地局と通信を行い、各セルグループ内ではセル間で同一の間欠受信状態又は非間欠受信状態を取る場合において、前記測定制御手段は、間欠受信状態時の測定条件を用いてメジャメントを行うと判定した場合に、前記複数のセルグループのうちの特定のセルグループの間欠受信コンフィギュレーションに基づく測定条件を用いてメジャメントを行うこととしてもよい。この構成により、間欠受信状態時の測定条件を用いてメジャメントを行う場合において、複数の間欠受信コンフィギュレーションが通知されている場合でも、適切に測定条件を決定してメジャメントを行うことができる。また、この構成では、特定のセルグループの間欠受信コンフィギュレーションを用いるため、例えば、ある目的（例：モビリティ）に適した測定条件を用いてメジャメントを行うことが可能となる。
【００９５】
前記特定のセルグループは、例えば、予め定められているセルグループであってもよいし、前記複数の基地局のうちのいずれかの基地局から通知されたセルグループであってもよい。予め定められているセルグループを用いることで制御が簡易となり、実装が容易となる。基地局から通知されたセルグループを用いることとすることで、基地局による制御を加味することができる。
【００９６】
前記測定制御手段は、前記複数の基地局のうちのいずれかの基地局から通知される測定設定情報におけるイベントの種別に基づいて、前記特定のセルグループを決定することとしてもよい。この構成により、イベントの目的に適した測定条件を用いてメジャメントを行うことが可能となる。
【００９７】
また、本実施の形態によれば、移動通信システムにおいて用いられるユーザ装置が実行する測定制御方法であって、前記ユーザ装置が間欠受信状態と非間欠受信状態の両方の状態を同時に取り得るか否かを判定する判定ステップと、前記判定ステップにより、前記ユーザ装置が間欠受信状態と非間欠受信状態の両方の状態を同時に取り得ると判定された場合に、間欠受信状態時の測定条件と非間欠受信状態時の測定条件のうちのいずれの状態時の測定条件を用いてメジャメントを行うかを判定し、判定された測定条件を用いてメジャメントを行う測定制御ステップとを備えることを特徴とする測定制御方法が提供される。この構成により、ユーザ装置において、間欠受信状態と非間欠受信状態の両方の状態を同時に取り得る場合でも、適切にメジャメントを行うことが可能となる。
【００９８】
本実施の形態で説明したユーザ装置ＵＥの機能構成は、ＣＰＵとメモリを備えるユーザ装置ＵＥにおいて、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００９９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア、及び、基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１００】
本発明は上記実施形態に限定されず、本発明の精神から逸脱することなく、様々な変形例、修正例、代替例、置換例等が本発明に包含される。
【符号の説明】
【０１０１】
ｅＮＢ、ＭｅＮＢ、ＳｅＮＢ  基地局
ＵＥ  ユーザ装置
１０１  ＵＬ信号送信部
１０２  ＤＬ信号受信部
１０３  ＣＣ／ＣＧ管理部
１０４  ＤＲＸ制御部
１０５  測定制御部
【要約】
【課題】ユーザ装置において、間欠受信状態と非間欠受信状態の両方の状態を同時に取り得る場合でも、適切にメジャメントを行うことを可能とする。
【解決手段】移動通信システムにおいて用いられるユーザ装置において、前記ユーザ装置が間欠受信状態と非間欠受信状態の両方の状態を同時に取り得るか否かを判定する判定手段と、前記判定手段により、前記ユーザ装置が間欠受信状態と非間欠受信状態の両方の状態を同時に取り得ると判定された場合に、間欠受信状態時の測定条件と非間欠受信状態時の測定条件のうちのいずれの状態時の測定条件を用いてメジャメントを行うかを判定し、判定された測定条件を用いてメジャメントを行う測定制御手段とを備える。
【選択図】図６【図１】
0005869637.tif 000002
【図２】
0005869637.tif 000003
【図３】
0005869637.tif 000004
【図４】
0005869637.tif 000005
【図５】
0005869637.tif 000006
【図６】
0005869637.tif 000007
【図７】
0005869637.tif 000008
【図８】
0005869637.tif 000009
【図９】
0005869637.tif 000010
【図１０】
0005869637.tif 000011
【図１１】
0005869637.tif 000012
【図１２】
0005869637.tif 000013
【図１３】
0005869637.tif 000014